(57)【特許請求の範囲】
【請求項１】
無重力空間での使用に供される機器の取付構造であって、
前記機器に形成された被取付部に締結ネジのネジ軸を挿通させる貫通孔を形成し、一対の弾性変形可能な防振部材に前記ネジ軸を挿通させる貫通孔をそれぞれ形成するとともに、前記取付対象物に形成された取付部に前記締結ネジのネジ軸と螺合するネジ穴を形成し、
前記各貫通孔と前記ネジ穴とを連通させた状態で、前記取付部、一方の防振部材、被取付部、及び他方の防振部材をこの順で積層し、
前記他方の防振部材の前記取付対象物とは反対側を向く面に前記締結ネジのネジ頭部を着座させ、前記各貫通孔に挿通した前記ネジ軸を前記ネジ穴に螺合させるとともに、
前記ネジ頭部と前記取付部との間に、当該ネジ頭部と取付部との離間距離を規定するスペーサを配設し、
前記スペーサは、積層された前記被取付部と一対の前記防振部材の各貫通孔内に配置され、内部に前記締結ネジのネジ軸を挿通させた状態で、前記取付部と前記ネジ頭部との間に立設される管状部材であり、
前記被取付部の貫通孔の内周面と前記管状部材との間にのみ、当該被取付部と当該管状部材との前記ネジ軸の軸心方向に沿った相対的な滑り動作を許容するスムーザを配置し、
前記スムーザのうち前記締結ネジのネジ頭部側にのみフランジ部を形成し、前記被取付部の前記貫通孔のうち前記ネジ頭部側の部分を前記スムーザの前記フランジ部を収容し得るように他の部分よりも大径に形成していることを特徴とする機器の取付構造。
【請求項２】
前記管状部材は金属製パイプから構成され、前記スムーザは少なくとも前記管状部材と当接し得る内表面が滑らかな樹脂製筒状部材である請求項１に記載の機器の取付構造。
【請求項３】
請求項１又は２に記載の機器の取付構造が適用され、前記取付対象物に形成された取付部に取り付けられる機器であって、
前記貫通孔を形成した被取付部を具備してなることを特徴とする機器。
【発明の詳細な説明】
【技術分野】
【０００１】
本発明は、宇宙用機器等の無重力空間で使用される機器を宇宙構造体等の取付対象物に取り付けるための構造、及びその取付構造を備えた機器に関するものである。
【背景技術】
【０００２】
宇宙構造物（宇宙ステーション、宇宙船、人工衛星等の宇宙航行体）には様々な宇宙用機器が取り付けられて使用される。また、宇宙用機器自体にも、その宇宙用機器が備える構成要素としての宇宙用機器が種々取り付けられて使用される。以下、宇宙で使用される機器を、その機器が構成要素として備える機器も含めて「宇宙用機器」と総称し、宇宙用機器が取り付けられる対象を「取付対象物」と総称する。宇宙用機器は、ロケットやローンチ・ビークルや宇宙往還機に搭載されて地球上から打ち上げられ、目的となる宇宙構造物の所定の位置に取り付けられる。また、宇宙用機器によっては地球上で予め取付対象物に取り付けた状態で打ち上げられるものもある。
【０００３】
特に、地球上で予め取付対象物に取り付けられる宇宙用機器においては、打ち上げ時の大振動に耐えられる取付構造が必要とされる。また、地球上で予め取付対象物に取り付けられるか、宇宙で取付対象物に取り付けられるかを問わず、宇宙用機器は宇宙の無重力空間で使用されるため、地球上で設定している機器の姿勢が常に維持されるとは限らない。また、宇宙用機器が地球上で予め取付対象物に取り付けられている場合、打ち上げ時には重力が作用する地球上や大気中においても常に一定の姿勢が維持されるとは限らない。特に、宇宙用機器の取付対象物に対する取付方向への姿勢が反転（例えば上下反転）した場合でも、この取付方向への防振特性が発揮される必要がある。
【０００４】
このような観点から、防振対策を施して宇宙用機器を取付対象物に取り付けるようにした構造としては、例えば、機器に設けられた平板状のフランジを上下両側からゴム等の一次防振部材で挟み、これら上下の一次防振部材をさらに上下両側から縦断面コ字形の中間支持部材で挟んだうえで締結ネジによって中間支持部材の上下片の間に一対の一次防振部材と機器のフランジを締結し、さらにこの中間支持部材を取付対象物等の一部である支持部材に二次防振部材を間に介在させて締結ネジによって固定する構造が提案されている（例えば、特許文献１、図３等参照）。これら２つの締結ネジは、支持部材に対する機器（機器のフランジ）の取付方向と一致させている。このような取付構造は、機器をその取付方向と一致させて締結ネジで支持部材に固定し、機器と中間支持部材との間及び中間支持部材と支持部材との間に防振部材を介在させることによって、特に振動の影響が大きくなる取付方向への弾性特性が発揮され、特に機器と取付対象物との位置関係が上下反転しても防振特性が維持される防振構造となるように対処したものである。
【先行技術文献】
【特許文献】
【０００５】
【特許文献１】特開平０９−１２６２７４
【発明の概要】
【発明が解決しようとする課題】
【０００６】
ところで、締結ネジ（ボルト）を締めることで機器を取付対象物に固定する場合、締結ネジの頭部を回転させればさせるほどネジ軸部はねじ穴に対して、限度はあるにせよ深く螺合する。すなわち、取付対象物に対する機器の取付位置の精度は、締結ネジの締め込み程度に依存することとなり、機器の取付位置を精密に決定することは非常に難しいといえる。一旦設置されるとその後は取り替えや調整が容易ではない宇宙用機器においては、精密な取付状態を如何に確保するかというのは非常に重要な問題である。
【０００７】
このような観点で特許文献１に開示された構成を考慮すると、機器を中間支持部材に固定している締結ネジのネジ軸は、中間支持部材の上側の片に形成された穴と上側の一次防振部材に形成された穴を通り、機器のフランジに設けられた穴を通過し、さらに下側の一次防振部材に形成された穴を通って中間支持部材の下側の片に形成されたネジ穴に螺合し、ネジ軸の先端が支持部材と中間支持部材の下側の片との間に設けられた二次防振部材に当接した構成で配設されている。したがって、締結ネジのネジ頭部を中間支持部材の上側の片に上方から当接させてネジ穴に対して螺合させていくと、一対の一次防振部材と二次防振部材のそれぞれの弾性変形可能な範囲において、機器のフランジと中間支持部材とが衝突し又は中間支持部材と支持部材とが衝突するまでであれば、いくらでも締め込みを強めることができるようになる。また、中間支持部材を支持部材に固定する締結ネジは、支持部材に形成された穴に下方から挿入したネジ軸を、中間支持部材の下側の片に形成したネジ穴に螺合させる構成が採用されているが、二次防振部材の厚みによって中間支持部材の下側の片の下面と支持部材の上面との間には若干の隙間が生じるようにされている。したがって、締結ネジのネジ頭部を支持部材の下面に当接させてネジ穴に対して螺合させていくと、二次防振部材の弾性変形可能な範囲において、中間支持部材と支持部材とが衝突するまでであれば、いくらでも締め込みを強めることができる。以上のことから、特許文献１に開示された宇宙用機器の取付構造では、機器の取付対象物に対する取付方向の防振作用は十分に得ることができたとしても、機器の取付対象物に対するそもそもの取付精度について正確を期すことは困難であるといえる。
【０００８】
本発明は、このような問題に着目してなされたものであって、主たる目的は、宇宙用機器のみならず無重力空間での使用に供される機器と取付対象物との間の取付方向への防振機能を両者の位置関係が上下反転しても発揮することができ、しかも機器の取付対象物に対する取付精度を向上することができる取付構造と、このような取付構造を採用した機器を提供することにある。
【課題を解決するための手段】
【０００９】
すなわち本発明は、宇宙等の無重力空間での使用に供される機器を取付対象物に対し締結ネジ及び一対の弾性変形可能な防振部材を使用して固定する取付構造である。ここで、本発明において「機器」について「宇宙用機器」と称する場合には、宇宙で使用される機器そのものを指す場合と、その機器に搭載される部品としての機器を指す場合の両方を含む趣旨である。したがって、機器が取り付けられる取付対象物は特に限定されることはないが、宇宙用機器が取り付けられる取付対象物は、取り付けられるものが宇宙用機器そのものである場合には宇宙ステーションその他の宇宙構造体における所定の取付部位を意味し、取り付けられるものが宇宙用機器に設けられる部品である場合には当該宇宙用機器における所定の取付部位を意味する。
【００１０】
そして本発明に係る機器の取付構造は、機器に形成された被取付部に締結ネジのネジ軸を挿通させる貫通孔を形成し、一対の防振部材にネジ軸を挿通させる貫通孔をそれぞれ形成するとともに、取付対象物に形成された取付部に締結ネジのネジ軸と螺合するネジ穴を形成し、被取付部及び防振部材の各貫通孔と取付部のネジ穴とを連通させた状態で、取付部、一方の防振部材、被取付部、及び他方の防振部材をこの順で積層し、この他方の防振部材の取付部とは反対側を向く面に締結ネジのネジ頭部を着座させ、各貫通孔に挿通したネジ軸をネジ穴に螺合させるとともに、ネジ頭部と取付部との間に、このネジ頭部と取付部との離間距離を規定するスペーサを配設し、スペーサは、積層された被取付部と一対の防振部材の各貫通孔内に配置され、内部に締結ネジのネジ軸を挿通させた状態で、取付部とネジ頭部との間に立設される管状部材であり、被取付部の貫通孔の内周面と管状部材との間にのみ、当該被取付部と当該管状部材とのネジ軸の軸心方向に沿った相対的な滑り動作を許容するスムーザを配置し、スムーザのうち締結ネジのネジ頭部側にのみフランジ部を形成し、被取付部の貫通孔のうちネジ頭部側の部分をスムーザのフランジ部を収容し得るように他の部分よりも大径に形成していることを特徴としている。
【００１１】
このような構成の取付構造では、機器の被取付部は一対の防振部材に挟まれた状態で締結ネジにより取付対象物の取付部に固定されることになる。また、締結ネジの締め込み量すなわちネジ頭部と取付部との間の距離はスペーサにより制限されるため、防振部材を押し潰しながら締結ネジを締め込み過ぎることも生じ得ず、機器の被取付部は取付対象物の取付部に対してスペーサで規定された定位置に精確に配設されることになる。したがって、このような取付構造は、取付対象物に対して定位置に固定された機器がその取付方向の正方向を向いても逆方向を向いても、被取付部を挟む一対の防振部材によって確実な防振特性が発揮する。その結果、本発明の取付構造は、正規の取付姿勢が常に維持されるとは限らない無重力空間で用いられる機器の取り付け、また打ち上げ時に大きな振動を受ける宇宙用機器の取り付けに適用した場合に極めて有効なものとなる。
【００１２】
以上のような本発明の機器の取付構造において、スペーサには、積層された被取付部と一対の防振部材の各貫通孔内に配置され、内部に締結ネジのネジ軸を挿通させた状態で、取付対象物とネジ頭部との間に立設される管状部材を適用することが好ましい。このような構成の管状部材をスペーサとして用いると、簡素な構造ではあるがネジ頭部と取付部との離間距離に対応した規定の寸法に設定するのが容易であり、また締結ネジのネジ頭部と取付部とに挟まれて受ける押圧力（圧縮力）は管状部材の軸方向両端部で受けることになるため、十分な強度を発揮することができる。なお、管状部材の断面形状や材質は特に制限されるものではなく、円形、四角形、多角形などの適宜の形状、アルミニウムやステンレスなどの適宜の材質を採用することができる。
【００１３】
特に、スペーサとして管状部材を適用した取付構造においては、被取付部の貫通孔の内周面と管状部材との間に、被取付部と管状部材とのネジ軸の軸心方向に沿った相対的な滑り動作を許容するスムーザを配置することで、振動が生じた際に防振部材が弾性変形するのに伴って機器の被取付部がその取付方向（ネジ軸の軸心方向）に動いた場合でも、被取付部の貫通孔とスペーサとしての管状部材とが直接接触することがなく、スムーザとスペーサとが接触して滑らかな滑動が実現されるため、被取付部の損傷を好適に防止するとともに、防振部材に振動の吸収を的確に行わせることができる。
【００１４】
ここで、強度や加工性の観点から、スペーサとしての管状部材は金属製パイプから構成されたものを採用することが好ましく、スムーザは少なくとも管状部材と当接し得る内表面が滑らかな樹脂製筒状部材を採用することが好ましい。
【００１５】
また、以上のような取付構造が適用される本発明の機器は、取付対象物の取付部に固定するに際して、締結ネジを挿通させる貫通孔を形成した被取付部を具備するものである。このような機器は、上述した通り、被取付部が一対の防振部材によって挟まれた状態で取付対象物の取付部に締結ネジで固定されるため、通常の取付姿勢での防振効果が得られるのは勿論であるが、逆さの姿勢となっても有効な防振効果が得られる。さらに、被取付部の貫通孔を通る締結ネジのネジ頭部と取付対象物の取付部との間にはスペーサが配置されるため、締結ネジの締め込み量が常に所定値となり、取付対象物に対して容易に一定の位置に取り付けることが可能となる。
【発明の効果】
【００１６】
本発明に係る機器の取付構造によれば、機器の被取付部を取付対象物の取付部に固定するに際して、被取付部を弾性変形可能な一対の防振部材で挟み付け、その状態で一方の防振部材には取付部を当接させ、他方の防振部材側から締結ネジを取付部のネジ穴に締結する構成とし、さらに締結ネジのネジ頭部と取付部との間にスペーサを配置して両者の離間距離を一定に規定するようにしているため、機器（被取付部）は取付対象物（取付部）に対して容易に一定の位置に固定することができる上に、そのように固定した機器は、通常の取付姿勢において安定的に防振効果を得ることができるだけでなく、逆さの取付姿勢（吊り下げ状態）となっても同様に安定した防振効果を得ることができる。このため、本発明の取付構造を採用した機器は、地球上からの打ち上げ時の大振動や、不安定となる姿勢にも耐え、宇宙等の無重力空間において使用するのに適したものとすることができる。
【図面の簡単な説明】
【００１７】
【図１】本発明の一実施形態に係る取付構造が適用される循環ファン及びコンテナの概略構成を示す側面図。
【図２】同正面図。
【図３】同背面図。
【図４】本実施形態の取付構造を示す部分拡大図。
【図５】図４におけるＩ−Ｉ線断面図。
【発明を実施するための形態】
【００１８】
以下、本発明の一実施形態を、図面を参照して説明する。
本実施形態の取付構造Ｘは、図示しない宇宙ステーションにドッキングさせられるコンテナＣの一部に取り付けられる循環ファンＦの取付構造である。図１においてコンテナは外形の一部のみを想像線で示している。本実施形態において、循環ファンＦが本発明における機器の一種である宇宙用機器に該当し、コンテナＣが取付対象物に該当する。この循環ファンＦは、ファンを作動させることで空気を撹拌し、宇宙ステーションにドッキングさせたコンテナＣ内に二酸化炭素が滞留するのを防止するために用いられるものである。
【００１９】
循環ファンＦは、図１、図２及び図３に示すように、概略矩形状の筐体Ｆ１と、筐体Ｆ１の前壁Ｆ１１から後壁Ｆ１２に亘って両壁を貫通するように固定された風洞Ｆ２と、この風洞Ｆ２内に固定された何れも図示しないハウジング及びこのハウジング内に支持板によって宙づり状態で固定されたモータと、このモータの回転軸と一体回転するように風洞Ｆ２内に設けられた一対の動翼Ｆ３（図示例では筐体Ｆ１の前壁Ｆ１１側に露出するように配置された動翼のみ示しており、他方の動翼は風洞Ｆ２の内部に収容されているため図示していない）と、筐体Ｆ１の後壁Ｆ１２側に露出するように風洞Ｆ２内に設けられた静翼Ｆ４等を備え、その他に図示しないコントローラや配線等を有している。そして、この循環ファンＦをコンテナＣの底壁Ｃ１に取り付けるために、前壁Ｆ１１及び後壁Ｆ１２にそれぞれ２つずつ、合計４つの取付足Ｆ５を設けている。すなわち、宇宙用機器である循環ファンＦにおいて取付足Ｆ５が本発明における被取付部に相当し、取付対象物であるコンテナＣにおいて底壁Ｃ１が本発明における取付部に相当し、本実施形態における取付構造Ｘは、取付足Ｆ５を底壁Ｃ１に取り付ける構造を指す。
【００２０】
取付足Ｆ５は、図４及び図５に示すように、循環ファンＦの筐体Ｆ１における前壁Ｆ１１、後壁Ｆ２２に取り付けられる起立板Ｆ５１と、コンテナＣの底壁Ｃ１に取り付けられる底板Ｆ５２と、これら起立板Ｆ５１及び底板Ｆ５２を両側方から挟む一対の側板Ｆ５３，Ｆ５３とを備えている。本実施形態において起立板Ｆ５１と底板Ｆ５２は、側面視Ｌ字形をなす一体構造とされた金属製ブロック又は金属板から構成され、両側板Ｆ５３，Ｆ５３は起立板Ｆ５１及び底板Ｆ５２の端面に溶接等により固定された金属板から構成される。起立板Ｆ５１は、複数（図示例では４本）のボルトＦ５４によって前壁Ｆ１１に固定される。底板Ｆ５２の幅方向及び奥行き方向略中央部には、締結ネジＸ１によってコンテナＣの底壁Ｃ１に固定する際に、ネジ軸Ｘ１２を肉厚方向に挿通させる貫通孔Ｆ５２ａが形成されている。また、底壁Ｃ１には、ネジ軸Ｘ１２を螺合させるネジ穴Ｃ１ａを上方に開口させて形成している。
【００２１】
本実施形態において取付構造Ｘは、取付足Ｆ５の底板Ｆ５２をコンテナＣの底壁Ｃ１に取り付けるに際し、上述した底板Ｆ５２の貫通孔Ｆ５２ａと底壁Ｃ１のネジ穴Ｃ１ａを利用するものであり、その他の部材として、底壁Ｃ１と底板Ｆ５２との間に挟まれる第１防振部材Ｘ２、底板Ｆ５２上に載置される第２防振部材Ｘ３、ネジ軸Ｘ１２を内部に挿通させて底壁Ｃ１上に立設されるスペーサＸ４、底板Ｆ５２の貫通孔Ｆ５２ａに装着されて内側にスペーサＸ４とネジ軸Ｘ１２を挿通させるスムーザＸ５を利用する。
【００２２】
第１防振部材Ｘ２及び第２防振部材Ｘ３は、何れも燃焼時に有毒ガスを発生しないゴム素材から形成された弾性変形可能な円環状の部材（いわゆる防振ゴム）である。なお、第１防振部材Ｘ２及び第２防振部材Ｘ３は、上下方向の圧縮力に対して均質な弾性変形が生じるように形成されている。両防振部材Ｘ２，Ｘ３には、底板Ｆ５２の貫通孔Ｆ５２ａ及び底壁Ｃ１のネジ穴Ｃ１ａと連通してネジ軸Ｘ１２を挿通させる貫通孔Ｘ２ａ，Ｘ３ａがそれぞれ形成されている。これらの貫通孔Ｘ２ａ，Ｘ３ａは、底板Ｆ５２の貫通孔Ｆ５２ａよりもやや小径とされている。
【００２３】
スペーサＸ４は、底壁Ｃ１に対する底板Ｆ５２の取付位置を精確に位置決めするための部材である。具体的には、底壁Ｃ１の上面と締結ネジＸ１のネジ頭部Ｘ１１の下面（より具体的には締結ネジＸ１と併用される座金Ｘ１３の下面）との間の離間距離ｄを所定寸法に規定するために用いられる。そのために、スペーサＸ４には、離間距離ｄと等しい長さ寸法を有する金属製管状部材（いわゆる金属パイプ）が適用される。本実施形態では、スペーサＸ４として金属製丸パイプを用いている。このスペーサＸ４の外径は各防振部材Ｘ２，Ｘ３の貫通孔Ｘ２ａ，Ｘ３ａの直径よりも若干小さく、内径はネジ軸Ｘ１２の外径よりも若干大きく設定されている。このようなスペーサＸ４は、軸方向への圧縮力に対して非常に高い強度を有している。
【００２４】
スムーザＸ５は、底板Ｆ５２の貫通孔Ｆ５２ａに挿入して装着される部材である。具体的にスムーザＸ５は、貫通孔Ｆ５２ａの直径に対応した外径と、スムーザＸ５の外径よりも若干大きい内径を有し上下に開口した筒状の部材（いわゆるブッシュ）であり、本実施形態では燃焼時に有毒ガスが発生しない合成樹脂から形成されている。スムーザＸ５の上端部側は、円筒状の下端部側よりも幅広のフランジ状に形成されており、それに対応して底板Ｆ５２の貫通孔Ｆ５２ａはフランジ状のスムーザＸ５の上端部をちょうど収容し得るように下端部側よりも大径に形成している。またスムーザＸ５の内面は、スペーサＸ４の外面と接触しても大きな抵抗が生じないように滑らかに形成されている。
【００２５】
以上のような各部材によって構成される取付構造Ｘにおいては、コンテナＣの底壁Ｃ１上に第１防振部材Ｘ２が載置され、第１防振部材Ｘ２上に取付足Ｆ５の底板Ｆ５２が載置され、その底板Ｆ５２にはスムーザＸ５が装着され、底板Ｆ５２上に第２防振部材Ｘ３が載置され、ネジ穴Ｃ１ａと各貫通孔Ｘ２ａ，Ｆ５２ａ，Ｘ３ａ（及びスムーザＸ５の開口）を連通させた状態で、底壁Ｃ１に立設したスペーサＸ４をこれらネジ穴Ｃ１ａと各貫通孔Ｘ２ａ，Ｆ５２ａ，Ｘ３ａ（及びスムーザＸ５の開口）に挿入し、第２防振部材Ｘ３の上面に座金Ｘ１３を載置した状態で上方からスペーサＸ４内にネジ軸Ｘ１２を挿通し、ネジ頭部Ｘ１１を回動させることでネジ軸Ｘ１２をネジ穴Ｃ１ａに螺合することによって、底板Ｆ５２を底壁Ｃ１に固定する。
【００２６】
このような取付構造Ｘを採用したことにより、ネジ頭部Ｘ１１を回動させた場合、スペーサＸ４が底壁Ｃ１とネジ頭部Ｘ１１（座金Ｘ１３）との間に立設状態で存在しているため、座金Ｘ１３の下面が第２防振部材Ｘ３の上面及びスペーサＸ４の上面と密着すると、それ以上はネジ軸Ｘ１２をネジ穴Ｃ１ａに螺合させることができずネジ頭部Ｘ１１の回動も停止することから、その位置で締結ネジＸ１の締め込みが終了する。すなわち、スペーサＸ４を介在させることによって、取付足Ｆ５を底壁Ｃ１にしっかりと固定した状態では、底壁Ｃ１と座金Ｘ１３との離間距離ｄは常にスペーサＸ４の長さに規定される。換言すれば、底壁Ｃ１と座金Ｘ１３との離間距離ｄは、すなわち第１防振部材Ｘ２と底板Ｆ５２と第２防振部材Ｘ３の各厚みの合計寸法と、スペーサＸ４の長さと一致する。ここで、締結ネジＸ１とネジ穴Ｃ１ａの締結力によって、底壁Ｃ１と第１防振部材Ｘ２、第１防振部材Ｘ２と底板Ｆ５２、底板Ｆ５２と第２防振部材Ｘ３、第２防振部材Ｘ３と座金Ｘ１３は、ぞれぞれ略均等に面接触しているため、第１防振部材Ｘ２及び第２防振部材Ｘ３は略一定の弾性変形（弾性圧縮）することとなり、底板Ｆ５２は常に一定の位置に固定される。
【００２７】
また、コンテナＣ若しくは循環ファンＦに振動が作用した場合、第１防振部材Ｘ２及び第２防振部材Ｘ３が適宜に弾性変形することでその振動を吸収することになるが、その際に、両防振部材Ｘ２，Ｘ３の弾性変形に伴って、スペーサＸ４がスムーザＸ５内でたとえ接触したとしても相対的に滑り移動することとなることから、スムーザＸ５を装着した底板Ｆ５２は安定して取付方向（ネジ軸Ｘ１２の軸心方向）に動き、両防振部材Ｘ２，Ｘ３に振動を逃がすことができる。
【００２８】
さらに、その底板Ｆ５２は、第１防振部材Ｘ２と第２防振部材Ｘ３とによって強く挟まれた状態で底壁Ｃ１に固定されるため、各図に示したような正規の姿勢となっても、正規の姿勢とは上下方向が反転した姿勢となっても、取付方向の天地を問わず同等の防振特性が作用することとなる。
【００２９】
以上のように、本実施形態の取付構造Ｘを宇宙用のコンテナＣに循環ファンＦを取り付けるための構造として適用することで、地球上でコンテナＣに循環ファンＦを取り付けておく際には、コンテナＣに対する定位置に循環ファンＦを迅速且つ確実に固定することができる。さらに、この取付構造Ｘは、循環ファンＦを取り付けた状態でコンテナＣを搭載したロケットやローンチ・ビークルや宇宙往還機を打ち上げる際の振動や姿勢にも、容易且つ確実に耐え得る防振構造を備えた取付構造となるものである。
【００３０】
なお、本発明は上述した実施形態に限定されるものではない。例えば上述のような取付構造を、宇宙において取付対象物に宇宙用機器を取り付ける際にも、定位置へ宇宙用機器の取り付けを迅速に行うことができるとともに、取付方向の上下を問わない防振特性を得ることができる。また、本発明の取付構造及びそれを適用した機器は、宇宙のみならず重力の作用が小さい高高度の空中や無重力実験設備等においても有用なものである。したがって、本発明の取付構造は、防振対策が必要となる種々多様な機器の固定に適用可能なものである。
【００３１】
その他、各部の具体的構成についても上記実施形態に限られるものではなく、本発明の趣旨を逸脱しない範囲で種々変形が可能である。
【符号の説明】
【００３２】
Ｃ…取付対象物（コンテナ）
Ｃ１…取付部（底壁）
Ｃ１ａ…ネジ穴
Ｆ…機器（循環ファン）
Ｆ５…被取付部（取付足）
Ｆ５２…底板
Ｆ５２ａ…貫通孔
Ｘ…取付構造
Ｘ１…締結ネジ
Ｘ１１…ネジ頭部
Ｘ１２…ネジ軸
Ｘ１３…座金
Ｘ２，Ｘ３…防振部材（第１防振部材，第２防振部材）
Ｘ２ａ，Ｘ３ａ…貫通孔
Ｘ４…スペーサ
Ｘ５…スムーザ
【図１】
0005803200.tif 000002
【図２】
0005803200.tif 000003
【図３】
0005803200.tif 000004
【図４】
0005803200.tif 000005
【図５】
0005803200.tif 000006